(57)【要約】【課題】着脱が容易で、かつ外観等が良好な表示機用コンソール筐体を提供する。【解決手段】第１のカバー体２と第２のカバー体３とを備え、第１のカバー体２と第２のカバー体３とが骨組み構造体１１に取り付けられた状態で、第１のカバー体２と第２のカバー体３とで骨組み構造体１１の前面と両側面と上面と背面を覆い、かつ、骨組み構造体１１の上面における第１のカバー体２と第２のカバー体３との上部接合部Ｌが、モニタ１３およびフロントパネル１４の少なくとも一方の下方に位置するようになっている。【選択図】  図１
2015230373.tif 000002
【特許請求の範囲】
【請求項１】
骨組み構造体内に処理部が配設され、前記骨組み構造体の上方にモニタと操作パネルとが配設されている表示機用コンソールにおける、前記骨組み構造体を覆う表示機用コンソール筐体であって、
前記骨組み構造体に着脱自在で、前記骨組み構造体の前面を覆う前面板部と、該前面板部の両端縁から延びる第１の側板部と、前記前面板部の上端縁から延びる第１の上板部と、を有する第１のカバー体と、
前記骨組み構造体に着脱自在で、前記骨組み構造体の背面を覆う背面板部と、該背面板部の両端縁から延びる第２の側板部と、前記背面板部の上端縁から延びる第２の上板部と、を有する第２のカバー体と、を備え、
前記第１のカバー体と前記第２のカバー体とが前記骨組み構造体に取り付けられた状態で、前記第１のカバー体と前記第２のカバー体とで前記骨組み構造体の前面と両側面と上面と背面を覆い、かつ、前記骨組み構造体の上面における前記第１のカバー体と前記第２のカバー体との接合部が、前記モニタおよび前記操作パネルの少なくとも一方の下方に位置する、
ことを特徴とする表示機用コンソール筐体。
【請求項２】
前記両第１の側板部または前記両第２の側板部の一部が切り欠かれて、２つの同軸の連結窓が形成され、
一方の前記連結窓に着脱自在で、水平方向に延びる第１の連結カバー部を有する第１の連結体と、
他方の前記連結窓に着脱自在で、水平方向に延びる第２の連結カバー部を有する第２の連結体と、を備え、
前記第１の連結カバー部の内形状が前記第２の連結カバー部の外形状よりも大きく設定されている、
ことを特徴とする請求項１に記載の表示機用コンソール筐体。
【発明の詳細な説明】
【技術分野】
【０００１】
本発明は、表示機用コンソールにおける骨組み構造体を覆う表示機用コンソール筐体に関する。
【背景技術】
【０００２】
例えば、船舶でのレーダシステムにおいて、レーダ装置で捉えた目標をモニタに表示したり、フロントパネルで各種操作を行ったりするための表示機用コンソールが知られている（例えば、特許文献１）。この表示機用コンソールは、骨組み構造体内にレーダ処理回路が配設され、骨組み構造体の上方にモニタとフロントパネルとが配設されている。そして、表示機用コンソール筐体の前面板と背面板と両側面板と上面板とでそれぞれ、骨組み構造体の前面と背面と両側面と上面とを覆っている。
【０００３】
また、表示機用コンソール筐体には操作穴が形成され、この操作穴にカバーが着脱自在に取り付けられている。そして、カバーを外すことで、操作穴からレーダ処理回路に対するアクセス、保守作業などを行えるようになっている。また、このような表示機用コンソールは、複数横並びに（直列に）配設され、表示機用コンソール間が配線で接続されて使用される場合がある。
【先行技術文献】
【特許文献】
【０００４】
【特許文献１】特開２０１３−１６４３１４号公報
【発明の概要】
【発明が解決しようとする課題】
【０００５】
しかしながら、操作穴からレーダ処理回路に対するアクセス、作業などを行わなければならないため、作業がしづらく、また、表示機用コンソール筐体を完全に取り外すには、前面板と背面板と両側面板と上面板とをそれぞれ外さなければならず、手間と時間とを要する。一方、表示機用コンソール筐体が独立した５つの板から構成され、各板間の接合部が多いため、外観が良好でないばかりでなく、上方からの水が接合部に直接かかり、レーダ処理回路側に侵入するおそれがある。
【０００６】
そこで本発明は、着脱が容易で、かつ外観等が良好な表示機用コンソール筐体を提供することを目的とする。
【課題を解決するための手段】
【０００７】
上記課題を解決するために、請求項１に記載の発明は、骨組み構造体内に処理部が配設され、前記骨組み構造体の上方にモニタと操作パネルとが配設されている表示機用コンソールにおける、前記骨組み構造体を覆う表示機用コンソール筐体であって、前記骨組み構造体に着脱自在で、前記骨組み構造体の前面を覆う前面板部と、該前面板部の両端縁から延びる第１の側板部と、前記前面板部の上端縁から延びる第１の上板部と、を有する第１のカバー体と、前記骨組み構造体に着脱自在で、前記骨組み構造体の背面を覆う背面板部と、該背面板部の両端縁から延びる第２の側板部と、前記背面板部の上端縁から延びる第２の上板部と、を有する第２のカバー体と、を備え、前記第１のカバー体と前記第２のカバー体とが前記骨組み構造体に取り付けられた状態で、前記第１のカバー体と前記第２のカバー体とで前記骨組み構造体の前面と両側面と上面と背面を覆い、かつ、前記骨組み構造体の上面における前記第１のカバー体と前記第２のカバー体との接合部が、前記モニタおよび前記操作パネルの少なくとも一方の下方に位置する、ことを特徴とする。
【０００８】
請求項２に記載の発明は、請求項１に記載の表示機用コンソール筐体において、前記両第１の側板部または前記両第２の側板部の一部が切り欠かれて、２つの同軸の連結窓が形成され、一方の前記連結窓に着脱自在で、水平方向に延びる第１の連結カバー部を有する第１の連結体と、他方の前記連結窓に着脱自在で、水平方向に延びる第２の連結カバー部を有する第２の連結体と、を備え、前記第１の連結カバー部の内形状が前記第２の連結カバー部の外形状よりも大きく設定されている、ことを特徴とする。
【発明の効果】
【０００９】
請求項１の発明によれば、第１のカバー体と第２のカバー体とを取り付けるだけで、表示機用コンソール筐体で骨組み構造体の前面と両側面と上面と背面とを覆うことができ、また、第１のカバー体と第２のカバー体を取り外すだけで、表示機用コンソール筐体を完全に取り外すことができる。つまり、第１のカバー体と第２のカバー体の２体を取り付けたり取り外したりするだけで、容易、迅速に表示機用コンソール筐体を着脱できる。そして、第１のカバー体または第２のカバー体の一方、あるいは両方を外すだけで、骨組み構造体が大きく開放されるため、容易にレーダ処理部に対するアクセス、作業などを行うことができる。
【００１０】
また、表示機用コンソール筐体が２つのカバー体で構成されているため、カバー体同士の接合部が少なく、外観が良好なばかりでなく、水が接合部にかかってレーダ処理部側に侵入するおそれが少ない。しかも、骨組み構造体の上面における第１のカバー体と第２のカバー体との接合部が、モニタや操作パネルの下方に位置するため、接合部が隠れて外観がさらに良好になるとともに、水が接合部に直接かかることがなく、レーダ処理部側への水の侵入をより抑制することが可能となる。
【００１１】
請求項２の発明によれば、複数の表示機用コンソールを横並びに配設して使用する場合、各表示機用コンソール筐体の一方の連結窓に第１の連結体を装着し、他方の連結窓に第２の連結カバー部を装着する。そして、表示機用コンソール筐体の第１の連結カバー部内に、隣接する表示機用コンソール筐体の第２の連結カバー部を挿入し、隣接するレーダ処理部同士を接続するための配線などを、この第１の連結カバー部内および第２の連結カバー部内に通す。このとき、表示機用コンソール筐体間に多少の隙間があっても、第１の連結カバー部に対する第２の連結カバー部の挿入量が変わるだけで、第１の連結カバー部と第２の連結カバー部との間に隙間は生じない。このため、第１の連結カバー部および第２の連結カバー部で配線などを隠すことが可能で、外観が良好となる。換言すると、表示機用コンソール同士を密接に配設しなくても、外観を良好に維持することが可能となる。
【図面の簡単な説明】
【００１２】
【図１】この発明の実施の形態に係る表示機用コンソール筐体を含む表示機用コンソールを示す斜視図である。
【図２】図１の表示機用コンソールの正面図（ａ）と、側面図（ｂ）と、背面図（ｃ）と、（ａ）のＡ−Ａ断面図（ｄ）である。
【図３】図１の表示機用コンソール筐体の第１のカバー体を示す斜視図（ａ）と、正面図（ｂ）と、平面図（ｃ）と、側面図（ｄ）である。
【図４】図１の表示機用コンソール筐体の第２のカバー体を示す正面図（ａ）と、平面図（ｂ）と、側面図（ｃ）である。
【図５】図１の表示機用コンソール筐体の第１の連結体を示す正面図（ａ）と、平面図（ｂ）と、側面図（ｃ）である。
【図６】図１の表示機用コンソール筐体の第２の連結体を示す正面図（ａ）と、平面図（ｂ）と、側面図（ｃ）である。
【図７】図５の第１の連結体と図６の第２の連結体との位置関係を示す断面斜視図である。
【発明を実施するための形態】
【００１３】
以下、この発明を図示の実施の形態に基づいて説明する。
【００１４】
図１〜図７は、この発明の実施の形態を示し、図１は、この実施の形態に係る表示機用コンソール筐体１を含む表示機用コンソール１０を示す斜視図である。この表示機用コンソール筐体１は、表示機用コンソール１０の骨組み構造体１１を覆う筐体・カバーであり、主として、第１のカバー体２と、第２のカバー体３と、窓カバー４と、連結体５１、５２とを備えている。
【００１５】
ここで、表示機用コンソール１０は、船舶用レーダのコンソールであり、図２に示すように、骨組み構造体１１内にレーダ処理回路（処理部）１２などが配設され、骨組み構造体１１の上方にモニタ１３とフロントパネル（操作パネル）１４とが配設されている。骨組み構造体１１は、棒状の骨材を略立方体に組み合わせて構成された構造体で、表示機用コンソール筐体１を取り付けるためのネジ穴が所定の位置に形成されている。この骨組み構造体１１にホルダ１５が取り付けられて、モニタ１３とフロントパネル１４とが配設されている。すなわち、ホルダ１５は、ホルダ柱部１５０が骨組み構造体１１の両側面から斜め上方に延び、骨組み構造体１１の上方で反斜め上方と水平方向とに分かれて延びて、斜め部１５１にモニタ１３が支持、配設され、水平部１５２にフロントパネル１４が支持、配設されている。そして、骨組み構造体１１の上面の上方に、モニタ１３とフロントパネル１４とが位置している。
【００１６】
第１のカバー体２は、骨組み構造体１１に着脱自在で、図３に示すように、骨組み構造体１１の前面を覆う前面板部２１と、この前面板部２１の両側の端縁から延びる第１の側板部２２と、前面板部２１の上端縁から延びる第１の上板部２３と、を有している。前面板部２１は、骨組み構造体１１の前面形状とほぼ同形状の略四角形で、複数のボルト挿入穴２１１が形成されている。そして、このボルト挿入穴２１１にボルトを挿入して骨組み構造体１１のネジ穴に締め付けることで、第１のカバー体２が骨組み構造体１１に取り付けられ、ボルトを外すことで、第１のカバー体２が骨組み構造体１１から取り外せるようになっている。
【００１７】
第１の側板部２２は、前面板部２１の側端縁を底辺部２２ａとする略三角形で、第１の斜辺部２２ｂがホルダ１５のホルダ柱部１５０に接するように形成され、さらに、底辺部２２ａとのなす角が鋭角になるように第２の斜辺部２２ｃが形成されている。このような第１の側板部２２によって、ホルダ柱部１５０よりも下方の骨組み構造体１１の側面が覆われ、図２（ｂ）に示すように、骨組み構造体１１の側面下部に、略三角形の連結窓２ａが形成される。つまり、第２の斜辺部２２ｃによって、第１の側板部２２の下部（一部）が切り欠かれて連結窓２ａが形成され、両第１の側板部２２の同位置に（同軸に）連結窓２ａが形成されている。ここで、第１の斜辺部２２ｂと第２の斜辺部２２ｃには、内側に略直角に折り曲げられたリブが形成され、このリブがホルダ柱部１５０や窓カバー４に当接するようになっている。
【００１８】
第１の上板部２３は、前面板部２１の上端縁から水平方向に延び、骨組み構造体１１の上面の一部を覆うように形成されている。また、第１の上板部２３の端縁は、後述する第２のカバー体３の第２の上板部３３の端縁と接し、その上部接合部Ｌが、図２（ｂ）に示すように、モニタ１３および操作パネル１４の下方に位置するように、第１の上板部２３が形成されている。つまり、この実施の形態では、上部接合部Ｌが、モニタ１３と操作パネル１４の境の下方に位置している。
【００１９】
第２のカバー体３は、骨組み構造体１１に着脱自在で、図４に示すように、骨組み構造体１１の背面を覆う背面板部３１と、この背面板部３１の両側の端縁から延びる第２の側板部３２と、背面板部３１の上端縁から延びる第２の上板部３３と、を有している。背面板部３１は、骨組み構造体１１の背面形状とほぼ同形状の略四角形で、複数のボルト挿入穴３１１が形成されている。そして、このボルト挿入穴３１１にボルトを挿入して骨組み構造体１１のネジ穴に締め付けることで、第２のカバー体３が骨組み構造体１１に取り付けられ、ボルトを外すことで、第２のカバー体３が骨組み構造体１１から取り外せるようになっている。
【００２０】
第２の側板部３２は、背面板部３１の側端縁を底辺部３２ａとする略直角三角形で、斜辺部３２ｂがホルダ１５のホルダ柱部１５０に接するように形成されている。このような第２の側板部３２によって、図２（ｂ）に示すように、ホルダ柱部１５０よりも上方の骨組み構造体１１の側面が覆われるようになっている。ここで、斜辺部３２ｂには、内側に略直角に折り曲げられたリブが形成され、このリブがホルダ柱部１５０に当接するようになっている。
【００２１】
第２の上板部３３は、背面板部３１の上端縁から水平方向に延び、骨組み構造体１１の上面の大半を覆うように形成されている。また、第２の上板部３３の両側には、ホルダ１５のホルダ柱部１５０を通すための逃がし部３３ａが形成されている。さらに、第１のカバー体２の第１の上板部２３の端縁と接する端縁には、下方に折り曲げられた段差部３３ｂが形成され、この段差部３３ｂが第１の上板部２３の端縁の下部に嵌合して、上部接合部Ｌに隙間が生じないようになっている。このように、この実施の形態では、第１の上板部２３と第２の上板部３３とが直接接しているが、フレームなどを介して接するようにしてもよい。
【００２２】
このような第１のカバー体２と第２のカバー体３とが骨組み構造体１１に取り付けられた状態で、第１のカバー体２と第２のカバー体３とで骨組み構造体１１の前面と両側面と上面と背面を覆うようになっている。すなわち、第１のカバー体２の前面板部２１で骨組み構造体１１の前面を覆い、第２のカバー体３の背面板部３１で骨組み構造体１１の背面を覆い、第１のカバー体２の第１の上板部２３と第２のカバー体３の第２の上板部３３とで骨組み構造体１１の上面を覆い、第１のカバー体２の第１の側板部２２と第２のカバー体３の第２の側板部３２とで、ホルダ柱部１５０で覆われている部分以外の骨組み構造体１１の側面を覆うように、第１のカバー体２と第２のカバー体３とが形成されている。
【００２３】
この際、上記のように、骨組み構造体１１の両側面の下部は覆われず、連結窓２ａが形成される。また、骨組み構造体１１の上面における第１のカバー体２と第２のカバー体３との上部接合部Ｌが、モニタ１３と操作パネル１４の境の下方に位置するように、第１のカバー体２と第２のカバー体３とが形成されている。
【００２４】
窓カバー４は、連結窓２ａを塞ぐカバーであり、連結窓２ａとほぼ同形状に形成され、複数のネジ穴が形成されている。そして、少なくとも第１のカバー体２を骨組み構造体１１から取り外し、連結窓２ａを埋めるように窓カバー４を装着して、骨組み構造体１１の内側からネジを窓カバー４のネジ穴に締め付けることで、窓カバー４が骨組み構造体１１に取り付けられ、ネジを外すことで窓カバー４が骨組み構造体１１から取り外せるようになっている。
【００２５】
このような窓カバー４は、表示機用コンソール１０を単独で使用する場合に取り付けられる。すなわち、１台の表示機用コンソール１０を配設して使用する場合に、両連結窓２ａを埋めるように、それぞれ窓カバー４を取り付ける。これにより、第１のカバー体２の第１の側板部２２と第２のカバー体３の第２の側板部３２と窓カバー４とによって、ホルダ柱部１５０以外の骨組み構造体１１の全側面が覆われるものである。
【００２６】
第１の連結体５１は、図５に示すように、外形状（輪郭形状）が連結窓２ａの外形状とほぼ同形で、一方の連結窓２ａに着脱自在となっている。すなわち、略三角形の平面部５１１の下部に第１のネジ穴５１２が形成され、少なくとも第１のカバー体２を骨組み構造体１１から取り外し、連結窓２ａを塞ぐように第１の連結体５１を位置させる。そして、骨組み構造体１１の内側からネジをネジ穴５１２に締め付けることで、第１の連結体５１が骨組み構造体１１に取り付けられ、ネジを外すことで第１の連結体５１が骨組み構造体１１から取り外せるようになっている。
【００２７】
また、平面部５１１の下端縁から中央部にわたって通し穴５１１ａが形成され、この通し穴５１１ａを介して、レーダ処理回路１２からの配線などを外部に通せるようになっている。さらに、平面部５１１の下端縁以外の外周縁から、水平方向に延びる第１の連結カバー部５１３が形成されている。この第１の連結カバー部５１３は、第１の連結体５１が骨組み構造体１１に取り付けられた状態で、骨組み構造体１１の外側に延びるように形成され、その長さは、後述するように、第２の連結体５２との隙間が生じないように設定されている。
【００２８】
第２の連結体５２は、図６に示すように、第１の連結体５１とほぼ同形状、同構造で、平面部５２１の下部に第２のネジ穴５２２が形成されて、他方の連結窓２ａに着脱自在となっている。また、平面部５２１に通し穴５２１ａが形成され、平面部５２１の下端縁以外の外周縁から、水平方向に延びる第２の連結カバー部５２３が形成されている。この第２の連結カバー部５２３は、第２の連結体５２が骨組み構造体１１に取り付けられた状態で、骨組み構造体１１の外側に延びるように形成され、その長さは、後述するように、第１の連結体５１との隙間が生じないように設定されている。
【００２９】
また、第１の連結カバー部５１３の内形状（内輪郭）は、第２の連結カバー部５２３の外形状（外輪郭）よりも大きく設定されている。すなわち、第１の連結体５１の平面部５１１は、第２の連結体５２の平面部５２１よりも一回り大きく形成され、図７に示すように、第１の連結カバー部５１３内に第２の連結カバー部５２３が挿入可能となっている。そして、第１の連結体５１と第２の連結体５２とが多少（所定距離）離れても、第１の連結カバー部５１３と第２の連結カバー部５２３とが常に重なり、第１の連結カバー部５１３と第２の連結カバー部５２３とに隙間が生じないように、第１の連結カバー部５１３と第２の連結カバー部５２３との長さが設定されている。
【００３０】
このような連結体５１、５２は、複数の表示機用コンソール１０を使用する場合に取り付けられる。すなわち、複数台の表示機用コンソール１０を横並びに（直列に）配設して使用する場合、窓カバー４を取り外し、各表示機用コンソール１０（各表示機用コンソール筐体１）の一方の連結窓２ａに第１の連結体５１を取り付け、他方の連結窓２ａに第２の連結体５２を取り付ける。そして、表示機用コンソール１０を横並びに配設して、図７に示すように、表示機用コンソール筐体１の第１の連結カバー部５１３内に、隣接する表示機用コンソール筐体１の第２の連結カバー部５２３を挿入する。このとき、隣接するレーダ処理回路１２同士を接続するための配線などを、連結カバー部５１３、５２３内および通し穴５１１ａ、５２１ａ内に通すものである。
【００３１】
このような構成の表示機用コンソール筐体１によれば、第１のカバー体２と第２のカバー体３とを取り付けるだけで、表示機用コンソール筐体１で骨組み構造体１１の前面と両側面と上面と背面とを覆うことができ、また、第１のカバー体２または第２のカバー体３の一方、あるいは両方を外すだけで、表示機用コンソール筐体１を取り外すことができる。つまり、第１のカバー体２と第２のカバー体３の２体を取り付けたり取り外したりするだけで、容易、迅速に表示機用コンソール筐体１を着脱できる。そして、第１のカバー体２または第２のカバー体３の一方、あるいは両方を外すだけで、骨組み構造体１１が大きく開放されるため、容易にレーダ処理回路１２に対するアクセス、保守作業などを行うことができる。
【００３２】
また、表示機用コンソール筐体１が２つのカバー体２、３で構成されているため、カバー体２、３同士の接合部が少なく、外観が良好なばかりでなく、水が接合部にかかってレーダ処理回路１２側に侵入するおそれが少ない。しかも、骨組み構造体１１の上面における第１のカバー体２と第２のカバー体３との上部接合部Ｌが、モニタ１３と操作パネル１４の境の下方に位置するため、上部接合部Ｌが隠れて外観がさらに良好になるとともに、水が上部接合部Ｌに直接かかることがなく、レーダ処理回路１２側への水の侵入をより抑制することが可能となる。
【００３３】
また、複数の表示機用コンソール１０を横並びに配設して使用する場合、表示機用コンソール筐体１の第１の連結カバー部５１３内に、隣接する表示機用コンソール筐体１の第２の連結カバー部５２３を挿入することで、外観が良好となる。すなわち、表示機用コンソール１０間に多少の隙間があっても、第１の連結カバー部５１３に対する第２の連結カバー部５２３の挿入量が多少変わるだけで、第１の連結カバー部５１３と第２の連結カバー部５２３との間に隙間は生じない。このため、第１の連結カバー部５１３および第２の連結カバー部５２３で配線などを隠すことが可能で、外観が良好となる。換言すると、表示機用コンソール１０同士を密接に配設しなくても、外観を良好に維持することが可能となり、表示機用コンソール１０の設置が容易になるとともに、設置自由度が高まる。
【００３４】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、第１の側板部２２の一部を切り欠いて連結窓２ａを形成されているが、第２の側板部３２の一部を切り欠いて連結窓を形成してもよい。また、ホルダ柱部１５０で覆われている部分以外の骨組み構造体１１の側面を、カバー体２、３で覆うようにしているが、骨組み構造体１１の全側面（連結窓２ａ以外）をカバー体２、３で覆うようにしてもよい。さらに、ホルダ１５でモニタ１３とフロントパネル１４とを支持、配設しなくてもよい。また、船舶用レーダのコンソールの場合について説明したが、電子海図情報表示システム（ＥＣＤＩＳ）のコンソールなどにも適用することができる。
【符号の説明】
【００３５】
１        表示機用コンソール筐体
２        第１のカバー体
２ａ      連結窓
２１      前面板部
２２      第１の側板部
２３      第１の上板部
３        第２のカバー体
３１      背面板部
３２      第２の側板部
３３      第２の上板部
４        窓カバー
５１      第１の連結体
５１３    第１の連結カバー部
５２      第２の連結体
５２３    第２の連結カバー部
１０      表示機用コンソール
１１      骨組み構造体
１２      レーダ処理回路（処理部）
１３      モニタ
１４      フロントパネル（操作パネル）
１５      ホルダ
Ｌ        上部接合部（接合部）
【図１】
2015230373.tif 000003
【図２】
2015230373.tif 000004
【図３】
2015230373.tif 000005
【図４】
2015230373.tif 000006
【図５】
2015230373.tif 000007
【図６】
2015230373.tif 000008
【図７】
2015230373.tif 000009